(57)【要約】【課題】  見栄えに優れ、プラグの栓刃を栓刃差込孔に差込み易いテーブルタップおよびコンセントの提供。【解決手段】  コンセント本体の表面に開口部が離間して形成され、プラグの栓刃を差込むための栓刃差込孔が形成された耐熱性合成樹脂における栓刃差込孔の縁部分に相当する耐熱性合成樹脂部分が、前記開口部にコンセント本体の内部から嵌合されて前記耐熱性合成樹脂部分がコンセント本体の表面に露呈され、該耐熱性合成樹脂部分の露呈端面がプラグの当り面とされているコンセントを備えている構成のテーブルタップ。【選択図】  図１
2011238452.tif 000002
【特許請求の範囲】
【請求項１】
コンセント本体の表面に開口部が離間して形成され、プラグの栓刃を差込むための栓刃差込孔が形成された耐熱性合成樹脂における栓刃差込孔の縁部分に相当する耐熱性合成樹脂部分が、前記開口部にコンセント本体の内部から嵌合されて前記耐熱性合成樹脂部分がコンセント本体の表面に露呈され、該耐熱性合成樹脂部分の露呈端面がプラグの当り面とされているコンセントを備えていることを特徴とするテーブルタップ。
【請求項２】
コンセント本体の、開口部を有する表面は仮想基準面に対して傾斜しており、開口部は表面の傾斜方向に離間し、それぞれの開口部から耐熱性合成樹脂部分が表面に露呈して、それぞれの露呈端面は同一平面上に設定されていることを特徴とする請求項１記載のテーブルタップ。
【請求項３】
コンセント本体の表面は曲面に形成されていることを特徴とする請求項２記載のテーブルタップ。
【請求項４】
コンセント本体の表面に開口部が離間して形成され、プラグの栓刃を差込むための栓刃差込孔が形成された耐熱性合成樹脂における栓刃差込孔の縁部分に相当する耐熱性合成樹脂部分が、前記開口部にコンセント本体の内部から嵌合されて前記耐熱性合成樹脂部分がコンセント本体の表面に露呈され、該耐熱性合成樹脂部分の露呈端面がプラグの当り面とされていることを特徴とするコンセント。
【発明の詳細な説明】
【技術分野】
【０００１】
本発明は、テーブルタップおよびコンセントに関する。
【背景技術】
【０００２】
一般にテーブルタップは、コンセント本体の表面にプラグの栓刃を差込むための栓刃差込孔が形成されている。栓刃差込孔に栓刃を差込んでこれをコンセント本体内の刃受に接続するようにして電気機器を使用すると、栓刃は高温になる場合がある。このため栓刃差込孔は、耐熱性合成樹脂の一部を、栓刃を挿入可能な形状に穿つことで形成されている（例えば特許文献１参照）。
【０００３】
また、上記従来のテーブルタップでは、コンセント本体に開口部を形成し、この開口部の縁に軟質合成樹脂からなるパッキンが密着するよう且つコンセント本体の表面から突出させて設け、パッキンの内側に耐熱性合成樹脂の成形体を一体的に装着している。
【先行技術文献】
【特許文献】
【０００４】
【特許文献１】特開２００７―１２２９８６号公報
【発明の概要】
【発明が解決しようとする課題】
【０００５】
上記従来のテーブルタップでは、パッキンをコンセント本体の表面から突出させ、パッキンの内側に耐熱性合成樹脂の成形体を一体的に装着しているから、開口部には軟質合成樹脂および耐熱性合成樹脂の双方が、凹凸をもって露呈しており見栄えに劣る。また、パッキンはコンセント本体の表面から突出しているから、プラグの栓刃を栓刃差込孔に差込む際に引掛かって邪魔になることがあった。
【０００６】
そこで本発明は、上記課題に鑑み、見栄えに優れ、プラグの栓刃を栓刃差込孔に差込み易いテーブルタップおよびコンセントの提供を目的とする。
【課題を解決するための手段】
【０００７】
本発明のテーブルタップは、コンセント本体の表面に開口部が離間して形成され、プラグの栓刃を差込むための栓刃差込孔が形成された耐熱性合成樹脂における栓刃差込孔の縁部分に相当する耐熱性合成樹脂部分が、前記開口部にコンセント本体の内部から嵌合されて前記耐熱性合成樹脂部分がコンセント本体の表面に露呈され、該耐熱性合成樹脂部分の露呈端面がプラグの当り面とされているコンセントを備えていることを特徴としている。
【０００８】
この構成によれば、テーブルタップの表面には、栓刃差込孔が形成された耐熱性合成樹脂部分のみが露呈するため、表面には煩雑な形状が観て取れずに見栄えが向上し、プラグの栓刃が引掛かるような、余計なものもなくなる。
【０００９】
本発明のテーブルタップでは、コンセント本体の、開口部を有する表面は仮想基準面に対して傾斜しており、開口部は表面の傾斜方向に離間し、それぞれの開口部から耐熱性合成樹脂部分が表面に露呈して、それぞれの露呈端面は同一平面上に設定された構成を採用することができる。
【００１０】
傾斜方向に離間しているとは、傾斜面において全く傾斜方向に沿って離間している状態に限らず、傾斜面の傾斜方向に沿って離間し、且つ傾斜面においてその傾斜方向と直交する方向に位置ずれして離間する場合も含んでいる。また、仮想基準面は一定の方向の面に限定されず、テーブルタップの形状等に応じて、その開口部を形成する表面に対応して異なる方向の面であってよい。要するに、表面を傾斜させるのに基準となる仮想面である。
【００１１】
上記構成によれば、栓刃差込孔に、プラグが当り面に当接するまで栓刃を差込んだ際に、当り面どうしを結ぶ仮想平面の傾斜にプラグの傾斜が倣う。
【００１２】
本発明のテーブルタップでは、コンセント本体の表面が曲面に形成された構成を採用することができる。この構成によれば、曲面である表面の外観性を損ないにくい。
【００１３】
本発明は、コンセント本体の表面に開口部が離間して形成され、プラグの栓刃を差込むための栓刃差込孔が形成された耐熱性合成樹脂における栓刃差込孔の縁部分に相当する耐熱性合成樹脂部分が、前記開口部にコンセント本体の内部から嵌合されて前記耐熱性合成樹脂部分がコンセント本体の表面に露呈され、該耐熱性合成樹脂部分の露呈端面がプラグの当り面とされていることを特徴としている。
【発明の効果】
【００１４】
本発明のテーブルタップでは、耐熱性合成樹脂にプラグの栓刃を差込むための栓刃差込孔を形成し、コンセント本体の表面に栓刃差込用の開口部を離間するよう形成し、栓刃差込孔の縁部分に相当する耐熱性合成樹脂部分を、開口部にコンセント本体の内部から嵌合して耐熱性合成樹脂部分を表面に露呈させ、耐熱性合成樹脂部分の露呈端面をプラグの当り面としているから、テーブルタップの表面には、栓刃差込孔が形成された耐熱性合成樹脂部分のみが露呈するため、表面には煩雑な形状が観て取れずに見栄えが向上し、プラグの栓刃が引掛かかるような余計なものもなく、栓刃差込孔に栓刃が差込み易い。
【図面の簡単な説明】
【００１５】
【図１】本発明の第一の実施形態に係るテーブルタップの、コンセントの斜視図である。
【図２】同平面図である。
【図３】同側面図である。
【図４】同底面図である。
【図５】同図２におけるＡ−Ａ線断面矢視図である。
【図６】同図２におけるＢ−Ｂ線断面矢視図である。
【図７】同上本体部を取外した状態の平面図で、刃受構造を省略した平面図である。
【図８】同図７におけるＣ−Ｃ線矢視断面図である。
【図９】同上本体部を取外した状態の斜視図で、刃受構造を省略した斜視図である。
【図１０】同上本体部を取外した状態の平面図で、刃受構造およびプラグならびに延長コードを表した平面図である。
【図１１】別の実施形態に係るテーブルタップのコンセントの斜視図である。
【図１２】さらに別の実施形態に係るテーブルタップのコンセントの斜視図である。
【発明を実施するための形態】
【００１６】
以下本発明の一実施形態を、テーブルタップを例に、図１ないし図１０の図面を参照しつつ説明する。これらの図に示すように、テーブルタップ１はコンセント２と、延長コード３とを備えている。延長コード３の先端部にはプラグ４が設けられている。図１および図３に示すように、コンセント２は、扁平な円柱箱状のコンセント本体２０を有している。コンセント本体２０は、上本体部２１と下本体部２２との組合わせにより構成され、合成樹脂で形成されている。この場合、上本体部２１はＡＢＳ（アクリロニトル  ブタジエン  スチレン）樹脂から一体的に形成され、下本体部２２はユリア樹脂から形成されている。
【００１７】
上本体部２１は天壁２１Ａおよび上側壁２１Ｂとから一体的に形成されている。下本体部２２は底壁２２Ａおよび下側壁２２Ｂとから一体的に形成されている。天壁２１Ａは平面視して円形に形成され、天壁２１Ａの表面（上面）２１ａは、仮想基準面（この場合、水平面）に対して、径方向中心２１ｂを頂点として径方向外方側が下傾斜した球面（３次曲面）に形成されている。上側壁２１Ｂの外側面２１１はわずかに下方側が大径となる円筒状に形成されている。
【００１８】
下本体部２２の底壁２２Ａは平面視して円形に形成され、底壁２２Ａの底面２２ａは平坦面に形成されている。下本体部２２の下側壁２２Ｂは環状に形成され、底壁２２Ａの外周端部から垂直上方に一体的に形成されている。なお、上本体部２１および下本体部２２は、下本体部２２の底壁２２Ａから挿入されるネジ５によって一体に且つ着脱自在に固定されている。
【００１９】
図１ないし図３、図５および図６に示すように、上本体部２１の天壁２１Ａには、一対で一組となる栓刃差込用の開口部が四組形成されている。開口部は二組ずつ平行に形成された開口６，６、開口７，７によって構成されている。四組の開口部は、それぞれ平面視して矩形（長方形）の開口６，６、開口７，７が整然と並べて配置されることで構成されている。よって、このテーブルタップ１においては、二個の栓刃４０を有した、四個のプラグ４の装着が可能に構成されている（便宜上、図１０で示すような、このテーブルタップ１が備えている構成のプラグ４として説明している）。
【００２０】
二組の開口部において一対の開口６，６、一対の開口７，７は、それぞれプラグ４の栓刃４０の離間距離に対応する距離だけ離間して配置されている。図２に示すように、四組の開口部のうち二組の開口部は、天壁２１Ａの所定の径方向Ｄ１に開口６の長辺６ａを沿わせて平行に設けられ、他の二組の開口部は所定の径方向に直交する径方向Ｄ２に開口７の長辺７ａを沿わせて平行に設けられている。
【００２１】
各組の開口部において、径方向中心２１ｂに近い開口６，７（その隅部）は、該径方向中心２１ｂから等距離に位置付けられている。各組の開口部において、径方向中心２１ｂに遠い開口７（その隅部）は、該径方向中心２１ｂから等距離に位置付けられている。すなわち各組の開口部において、径方向外側の開口６，７は、径方向内方側の開口６，７に比べて、球面の曲率に応じた分だけ下方に存在する。
【００２２】
特に、図７ないし図９に示すように、コンセント本体２０には、同一構成の四組の栓刃差込部材８，９が装着されている。栓刃差込部材８，９は、それぞれ全体が下側開放の矩形箱形状に形成された部材本体８０，９０を有して、これらは同形状に形成されている。図７に示すように、四組の栓刃差込部材８，９のうち二組の栓刃差込部材８，８は、天壁２１Ａの径方向Ｄ２に長辺８０ａ側を沿わせて平行に設けられ、他の二組の栓刃差込部材９，９は径方向Ｄ１に長辺９０ａ側を沿わせて平行に設けられている。
【００２３】
部材本体８０，９０の上面には、栓刃差込孔８ａ，９ａを有する縁部分８１，９１が一体的に形成されている。栓刃差込部材８，９における縁部分８１，９１どうしは、栓刃４０の離間距離に相当する距離だけ離間して配置されることで一対設けられ、各縁部分８１，９１は部材本体８０，９０の上面の面方向内側から上方に突出するよう形成されている。各縁部分８１，９１は、開口６，７の形状に合致するよう、平面視して矩形に形成されている。
【００２４】
栓刃差込部材８，９のうち、縁部分８１，９１のみが、開口６，７にコンセント本体２０の内部から開口６，７の壁面に直接的に嵌合されるように、栓刃差込部材８，９がコンセント本体２０に装着されている。この場合、栓刃差込部材８，９は全体が耐熱性合成樹脂であるユリア樹脂から形成されている。
【００２５】
また、縁部分８１，９１のみがコンセント本体２０の表面２１ａに露呈され、栓刃差込部材８，９の露呈端面である上端面８ｂ，９ｂはプラグ４の栓刃突出面４ａとの当り面として用いられる。上端面８ｂ，９ｂおよび栓刃突出面４ａは互いに平面に形成されている。一つの栓刃差込部材８，９における各上端面８ｂ，９ｂは、表面２１ａからわずかに突出するよう設けられている。各栓刃差込部材８、各栓刃差込部材９において、縁部分８１，９１の上端面８ｂ，９ｂどうしは同一平面上に設定されている。
【００２６】
この構成により、栓刃差込孔８ａ，９ａにプラグの栓刃を差込んでプラグ４を上端面８ｂ，９ｂに当てると（便宜上、図１０に示すプラグ４で説明する）、プラグ４が表面２１ａ（の曲率）に干渉する（当る）ことがないようになっている。換言すれば、栓刃差込孔８ａ，９ａにプラグ４の栓刃４０を差込んでプラグ４を上端面８ｂ，９ｂに当てた際に、プラグ４の栓刃突出面４ａが表面２１ａに干渉することがない程度に、栓刃差込部材８，９の各上端面８ｂ，９ｂが表面２１ａから突出している。なお、各上端面８ｂ，９ｂにおいて、径方向外方の上端面８ｂ，９ｂの方が、径方向内方の上端面８ｂ，９ｂに比べて、表面２１ａからの突出量はわずかに多く設定されている。
【００２７】
栓刃差込部材８，９において、縁部分８１，９１の上端面８ｂどうし、上端面９ｂどうしを結ぶ平面は、ほぼ表面２１ａの曲率に応じた程度の傾斜面（仮想傾斜面）となっている。すなわち、各組の栓刃差込孔８ａ，９ａにプラグ４の栓刃４０を差込んでプラグ４の栓刃突出面４ａを上端面８ｂ，９ｂに当てると、プラグ４はその上部が前記傾斜面の法線方向近傍の角度で、上側ほど径方向外方に傾斜するようになる。なお、各栓刃差込部材８，９において、縁部分８１，９１の栓刃差込孔８ａ，９ａ側は、下方に傾斜する傾斜面８ｃ，９ｃに形成されている。
【００２８】
なお、栓刃差込部材８，９はコンセント本体２０と色合いを異にしている。例えばコンセント本体２０は白色系であり、栓刃差込部材８，９は黒色系に着色された合成樹脂が用いられている。このように色合いを異にする設定により、表面２１ａに露呈する縁部分８１，９１の存在が明瞭になっている。
【００２９】
図１０に示すように、テーブルタップ１は栓刃差込部材８，９毎に、刃受構造１０を備える。各刃受構造１０は、耐熱性合成樹脂（例えばＡＢＳ樹脂）から形成されている同径状の部品装着容器１１と、部品装着容器１１に収容されて栓刃差込孔８ａ，９ａに対応するようその下方に配置された一対の刃受１２と、各栓刃差込部材８，９の内部に装着された刃受１２どうしを電気的に接続する刃受接続片１３と、コンセント本体２０内に端部が導入された延長コード３と刃受接続片１３とを電気的に接続する圧着端子１４とから構成されている。一組の刃受１２は、下本体部２２からほぼ垂直方向に立ち上がるよう設けられている。刃受構造１０の刃受１２の上部が、栓刃差込部材８，９の内部に下方から挿入され、刃受構造１０は栓刃差込部材８，９毎に固定されている。
【００３０】
なお、前述したプラグ４は、このテーブルタップ１に備えられている部分であり、このテーブルタップ１の栓刃差込部材８，９における栓刃差込孔８ａ，９ａに差込まれるプラグ４（栓刃４０）は、パーソナルコンピュータ（パソコン）等の装置に付帯するプラグ（図示省略）である。
【００３１】
上記構成のテーブルタップ１は、例えば複数のパソコンを用いて行う会議等に有用である。このテーブルタップ１は、プラグ４の栓刃４０を家庭用電源に差込んで、対になっている栓刃差込孔８ａ、栓刃差込孔９ａにパソコン電源供給用のプラグの栓刃を差込むことで使用することができる。
【００３２】
該プラグの栓刃を栓刃差込孔８ａ、栓刃差込孔９ａに差込む際、栓刃差込部材８，９において、縁部分８１，９１の栓刃差込孔８ａ，９ａ側は、下方に傾斜する傾斜面８ｃ，９ｃに形成されているから、前記栓刃が栓刃差込孔８ａ，９ａに向けて円滑に案内されて、差込み作業を容易に、且つ確実に行うことができる。栓刃を栓刃差込孔８ａ，９ａに確実に差込むと、コンセント本体２０に内装された一対の刃受１２に各栓刃が挟持されて接触し、栓刃と刃受１２とが電気的に接続され、パソコンに電力を供給することができる。
【００３３】
そして、栓刃差込部材８，９は、コンセント本体２０の内側から、表面２１ａに形成された開口６，７に縁部分８１，９１が露呈しているのみであるので、栓刃を開口６，７に差込む際に引掛かるような障害になる部材が表面２１ａにないから、使用者は迷うことなく栓刃を栓刃差込孔８ａ，９ａに差込むことができる。また、使用者は表面２１ａと色合いの異なる縁部分８１，９１を目安としてプラグの栓刃を栓刃差込孔８ａ，９ａに差込むことができる。
【００３４】
また、表面２１ａに形成された開口６，７に縁部分８１，９１が露呈しているのみで、栓刃を開口６，７に差込む際に引掛かるような障害になる部材が表面２１ａになく、煩雑な凹凸形状が表面２１ａには観られない。このため、テーブルタップ１、特にコンセント２の見栄えが良好である。特に、表面２１ａは球面であり、その球面の美観がそのまま使用者の視覚に反映されるから、優れた美観となっている。
【００３５】
栓刃差込部材８，９において、縁部分８１，９１の上端面８ｂ，９ｂどうしを結ぶ平面は、ほぼ表面２１ａの曲率に応じた程度の傾斜面（仮想傾斜面）となっている。すなわち、栓刃差込孔８ａ，９ａにプラグの栓刃を差込んでプラグの栓刃突出面を上端面８ｂ，９ｂ当てると、プラグはその上部が傾斜面の法線方向近傍の角度で、上側ほど径方向外方に傾斜するようになる。このため、プラグを装着した状態での見栄えも優れる。
【００３６】
栓刃差込部材８，９において、縁部分８１，９１の上端面８ｂ，９ｂは平面で、上端面８ｂどうし上端面９ｂどうしを結ぶ平面は、それぞれほぼ表面２１ａの曲率に応じた程度の傾斜面となっている。そして、栓刃差込孔８ａ，９ａにプラグの栓刃を差込んでプラグを上端面８ｂ，９ｂに当てた際に、プラグの栓刃突出面が表面２１ａに干渉することがない程度に、栓刃差込部材８，９の各上端面８ｂ，９ｂが表面２１ａから突出している。このため、プラグの栓刃突出面と上端面８ｂ，９ｂとが平面どうしで隙間なく当接して、栓刃に放電が発生しにくく、栓刃が刃受１２と安定した形態で接続され、プラグにぐらつきが発生しにくい。
【００３７】
さらに、四組の栓刃差込部材８，９は同じ物を用いており、二組の栓刃差込部材８，８は、天壁２１Ａの所定の径方向に長辺８０ａ側を沿わせて平行に設け、他の二組の栓刃差込部材９，９は所定の径方向に直交する径方向に長辺９０ａ側を沿わせて平行に設けている。換言すれば、同じ形状の栓刃差込部材８，９を用いて、周方向に隣合う栓刃差込部材８，９を互いに９０°異ならせている。このため、栓刃差込部材８，９を同じ方向に並べる場合、すなわち平行に配置する場合に比べて、コンセント２が大型化するのを抑制することが可能になる。さらに、周方向に隣合う栓刃差込部材８，９を互いに９０°異ならせた構成により、コンセント２に接続されたケーブル（プラグ）どうしが干渉し合わないように、コンセント２に該ケーブルを配置することができる。
【００３８】
次に、本発明の他の実施形態に係るテーブルタップを、図１１および図１２を参照して説明する。図１１および図１２では、延長コードの図は省略して、コンセント２００のみを表示してある。第一の実施形態では、コンセント本体２０は表面２１ａを球面とし、扁平な円柱形状に形成した。これに対して図１１および図１２に示す実施形態では、コンセント２００のコンセント本体２１０は、ともに直方体形状に形成されている。
【００３９】
図１１に示すテーブルタップ１は、コンセント本体２１０の上面２１０ａおよび側面２１０ｂにそれぞれ一組の開口６０，７０が形成されており、コンセント本体２１０の内部に、上面２１０ａおよび側面２１０ｂから栓刃差込部材の縁部分８００，９００が露呈するように、第一の実施形態と同様の構成の栓刃差込部材が装着されている。
【００４０】
縁部分８００，９００の構成は第一の実施形態と同様であるので、その説明を省略する。また、図示しないが、コンセント本体２１０の内部には、刃受構造（図示せず）が内装されて延長コードに電気的に接続されている。このテーブルタップ１では、縁部分８００，９００の上端面８００ａ，９００ａは、それぞれコンセント本体２１０の上面２１０ａ、側面２１０ｂに面一となるよう設定されている。
【００４１】
図１１に示すテーブルタップ１においても、プラグの栓刃を縁部分８００，９００の栓刃差込孔８００ｂ，９００ｂに差込むのに障害になるものがなく、また見栄えの良好なテーブルタップとなる。
【００４２】
図１２に示すテーブルタップ１では、上面２１０ａに複数組（図では三組）の開口６０が形成され、側面２１０ｂに一組の開口７０が形成されている。すなわち図１２のテーブルタップ１では、コンセント本体２１０の長手方向長さを図１１に示すテーブルタップ１に比べて長く設定して、上面２１０ａに複数組の開口６０，７０を形成している。他の構成は図１１に示したテーブルタップ１と同様である。
【００４３】
本発明は、上記実施形態に限定されるものではなく、本発明の主旨を逸脱しない範囲で種々変形が可能である。その他、各部の具体的構成についても上記実施形態に限られるものではない。上記各実施形態では、コンセントはプラグに一対の栓刃を備えている場合について説明した。しかしながら一対の栓刃に加え、アースピンを備えたプラグにも対応できるよう、そのための開口をコンセント本体に形成して、縁部分にアースピン差込孔を有したユリア樹脂等からなるアースピン差込部材を、その縁部分のみが前記開口からコンセント本体の表面に露呈するよう、コンセント本体内部に装着することもできる。
【００４４】
また、コンセントを円柱状に形成して縦使いとし、コンセントの外周面に、一組あるいは複数組の開口を形成して、該開口に栓刃差込部材の縁部分を嵌合して、前記外周面から縁部分が露呈するよう構成することもできる。この場合、仮想基準面は垂直面となり、コンセントを円柱状に形成してその外周面に開口を形成することで、開口は垂直面に対してコンセントの周方向に傾斜した外周面（表面）に形成される。さらに、第一の実施形態では表面２１ａは傾斜面としての球面に形成した場合の例を説明した。しかしながらこれに限定されず、表面を傾斜面としての円錐面とする場合も考えられる。要するに、傾斜面は３次曲面に限定されず、２次曲面であってもよく、頂点を中心として径方向外方に向けて傾斜する傾斜面であってもよいし、頂点を中心とせず一方側にのみ傾斜する片流れ形状の傾斜平面であってもよい。
【００４５】
上記実施形態では、コンセントを備えたテーブルタップの例を説明した。しかしながら、前記コンセントは、テーブルタップとして用いる場合のみに限定されず、一般家庭における配線用差込接続器としても使用することができる。
【符号の説明】
【００４６】
１…テーブルタップ、２…コンセント、４…プラグ、４ａ…栓刃突出面、６，７…開口、８，９…栓刃差込部材、８ａ，９ａ…栓刃差込孔、８ｂ，９ｂ…上端面、９，９…栓刃差込部材、１０…刃受構造、１２…刃受、２０…コンセント本体、２１…上本体部、２１Ａ…天壁、２１Ｂ…上側壁、２１ａ…表面、２１ｂ…径方向中心、２２…下本体部、４０…栓刃、６０，７０…開口、８０，９０…部材本体、８１，９１…縁部分
【図１】
2011238452.tif 000003
【図２】
2011238452.tif 000004
【図３】
2011238452.tif 000005
【図４】
2011238452.tif 000006
【図５】
2011238452.tif 000007
【図６】
2011238452.tif 000008
【図７】
2011238452.tif 000009
【図８】
2011238452.tif 000010
【図９】
2011238452.tif 000011
【図１０】
2011238452.tif 000012
【図１１】
2011238452.tif 000013
【図１２】
2011238452.tif 000014